(57)【要約】【課題】  ワンタッチで容易に釣り用浮きの位置を調整可能であるとともに、キャスティングした際に釣り用浮きの位置が変わらず、また簡単に釣り糸が切れない釣り用浮きを提供する。【解決手段】  釣り用浮き１０は、浮き全体に浮力を与える繊維からなる浮力体１２と、浮力体１２の一部を巻き止めて結束する一端部を有する結束部１４と、各々の両端が結束部１４の他端部に固着された２本の糸状体１５、１６と、２本の糸状体１５、１６の各々の他端に設けられ、２本の糸状体１５、１６を挿通するリング状の穴あき部材である留め具１８と、留め具１８の抜け落ち防止の留め具抜け防止部１９と、結束部１４の他端部と２本の糸状体１５、１６と留め具１８とで構成される環状部２０に釣り糸を挿通した後、留め具１８で釣り糸を拘束した際に、釣り糸が動かないように係止する釣り糸係止部２２とから概略構成されている。【選択図】        図１
0003115765.tif 000002
【実用新案登録請求の範囲】
【請求項１】
繊維からなる浮力体と、
一端部で前記浮力体を結束する結束部と、
一部が前記結束部の他端部に固着され、他の一部に留め具が設けられた、釣り糸を挿通する糸状体からなる環状部と、を具備することを特徴とする釣り用浮き。
【請求項２】
前記環状部内の、前記環状部が前記結束部に固着された他端部位置に設けられた釣り糸係止部をさらに具備することを特徴とする請求項１に記載の釣り用浮き。
【請求項３】
前記留め具は、前記環状部の糸状体を挿通する穴あき部材であり、前記穴あき部材が前記環状部から抜けることを防止する留め具抜け防止部が、前記環状体の他の一部に設けられていることを特徴とする請求項１または請求項２に記載の釣り用浮き。
【考案の詳細な説明】
【技術分野】
【０００１】  この考案は、魚を釣るときに使用する釣り用の浮きに関するものである。
【背景技術】
【０００２】  従来より、釣りに用いられる浮きは、様々な形状や素材の浮きがあり、その目的や用途によって種々提案され、実用に供されている。【０００３】  例えば、特許文献１に記載の釣り用の繊維浮きにおいては、空気抵抗が小さくて投げやすく、かつアタリが分かりやすい繊維浮きを提供するために、細い繊維の塊に櫛を入れて整えた後に両端部を糸で縛って略楕円状の浮き体を形成し、その浮き体における一方の結束部に小さな連結輪を取り付けた形状の釣り用浮きが提案されている。【０００４】  また、特許文献２に記載のフライフィッシング用はめ込み式浮子においては、何度も使用でき、着脱や位置の移動が簡単に出来るフライフィッシング用はめ込み式浮子を提供するために、円柱形の浮力材に側面から中心までの切れ込みを設け、片側先端が丸く閉塞したチューブに側面から中心までの切れ込みを設け、チューブに浮力材をはめ込んだ形状の釣り用浮きが提案されている。【０００５】
【特許文献１】  実用新案登録第３１０１２３１号公報
【特許文献２】  特開平１１−９８９４１号公報
【０００６】  しかしながら、特許文献１に開示される釣り用の繊維浮きでは、釣り糸は連結輪に結びつけるため、釣り糸で浮きの位置を調整するたびに釣り糸を結び直さねばならないという課題があった。また、連結輪自身がゴム素材であるために、経時変化や釣り糸の結びつけにより頻繁に切れてしまうという課題があった。【０００７】  また、特許文献２に開示されるフライフィッシング用はめ込み式浮子では、チューブの切れ込みから釣り糸をチューブ内に通し、チューブにはめ込む浮子で釣り糸を係止するため、浮子をキャスティングした際に、浮子が釣り糸の係止位置からずれてしまう課題があった。また、何度もキャスティングをしていると、チューブに浮子との間の釣り糸のこすれにより、釣り糸が切れてしまうという課題があった。
【考案の開示】
【考案が解決しようとする課題】
【０００８】  この考案は、上述した課題を解決し、ワンタッチで浮きの位置を調整できる釣り用浮きを提供することを目的とする。【０００９】  また、この考案は、釣り糸上での浮きの位置が変わらず、また簡単に釣り糸が切れてしまわない釣り用浮きを提供することを目的とする。
【課題を解決するための手段】
【００１０】  上述の課題を解決し、目的を達成するために、この考案の釣り用浮きは、請求項１の記載によると、繊維からなる浮力体と、一端部で前記浮力体を結束する結束部と、一部が前記結束部の他端部に固着され、他の一部に留め具が設けられた、釣り糸を挿通する糸状体からなる環状部と、を具備することを特徴とする。【００１１】  また、この考案の釣り用浮きは、請求項２の記載によると、前記環状部内の、前記環状部が前記結束部に固着された他端部位置に設けられた釣り糸係止部をさらに具備することを特徴とする。【００１２】  また、この考案の釣り用浮きは、請求項３の記載によると、前記留め具は、前記環状部の糸状体を挿通する穴あき部材であり、前記穴あき部材が前記環状部から抜けることを防止する留め具抜け防止部が、前記環状体の他の一部に設けられていることを特徴とする。
【考案の効果】
【００１３】  この考案により、ワンタッチで浮きの位置の調整が可能であり、また、釣り針が装着された状態で、浮きを釣り糸に取り付けることが可能な釣り用浮きを提供することができる。【００１４】  また、この考案により、軽量で、浮きを製造するための射出用型等が必要がなく、簡単に製造が可能な釣り用浮きを提供することができる。【００１５】  さらにまた、この考案により、浮きによる釣り糸の切断のおそれがない釣り用浮きを提供することができる。
【考案を実施するための最良の形態】
【００１６】  この考案の実施の具体的形態例を、図１および図２を用いて以下に説明する。なお、この考案を実施するための最良の形態で説明する素材や構成やその組み合わせはこれに限定されるものではなく、その目的が達成されれば、どのようなものでも良いことは言うまでもない。【００１７】  図１は、この考案における釣り用浮き１０の第一の実施例である。図２はこの考案における釣り用浮き１０の第二の実施例である。【００１８】  この考案における釣り用浮き１０の第一の実施例は、図１によると、釣り用浮き１０は、浮き全体に浮力を与えるとともに、水面や水中での目印にもなる、繊維からなる浮力体１２と、浮力体１２の一部を巻き止めて結束する一端部を有する結束部１４と、各々の両端が結束部１４の他端部に巻き止められることで固着された２本の糸状体１５、１６と、結束部１４の他端部で巻き止められて固着されている２本の糸状体１５、１６の各々の他端に設けられ、２本の糸状体１５、１６を挿通するリング状の穴あき部材である留め具１８と、２本の糸状体１５、１６に挿通された留め具１８が抜け落ちないように防止する留め具抜け防止部１９と、結束部１４の他端部と２本の糸状体１５、１６と留め具１８とで構成される環状部２０に釣り糸を挿通した後、留め具１８で釣り糸を拘束した際に、釣り糸が動かないように係止する釣り糸係止部２２とから概略構成されている。【００１９】  浮力体１２は、例えば羊毛や鳥の羽等の天然動物性繊維、アクリルやポリプロピレン等の化学繊維を用いて作られている。これらの繊維は繊維自身が持つ浮力や繊維に絡みつく気泡等による浮力により、釣り針と釣り糸および釣り用浮きの全体の浮力を発生させる。なお、さらなる浮力を発生させるために浮力剤を塗布してもよい。またさらには、木綿や麻等の天然植物性繊維は、この浮力体１２にはあまり向かないが、浮力剤の塗布や防水加工等を施せば使用できないことはない。【００２０】  また、繊維自身は非常に軽いため、釣りを行う際のキャスティング（釣り針を魚がいると思われる目的の場所へ投げ込むこと）でじゃまにならず、正確にキャスティングを行うことができる。【００２１】  また、これらの繊維は、染色が容易であるので、種々の色に着色可能であり、釣りの際に見失いにくい釣り用浮きとすることができる。【００２２】  なお、図１において、浮力部１２の繊維の方向は、概略同じ方向に整えられているように図示されているが、これに限定されるものではなく、例えば脱脂綿のように繊維の方向が揃っていなくとも問題なく使用できる。【００２３】  結束部１４は、例えばナイロン糸等が用いられている。結束部１４は、浮力体１２の繊維の一部をつまんで巻き止めて結束している。このように、結束部１４の一端部には浮力体１２が結束されており、また、結束部１４の他端部には、下記に説明する２本の糸状体１５、１６と釣り糸係止部２２とが固着されている。【００２４】  この第一の実施例では、結束部１４の他端部に２本の糸状体１５、１６の各々の一端が固着されている。また、２本の糸状体１５、１６の各々の他端は、リング状の穴あき部材である留め具１８に挿通されている。このように、結束部１４の他端部と、２本の糸状体１５、１６と、留め具１８とで環状部２０が構成されており、この環状部２０に釣り糸が挿通される。【００２５】  なお、これらの２本の糸状体１５、１６には、綿糸や絹糸のような天然繊維またはナイロン糸のような化学繊維が用いられている。また、これらの２本の糸状体１５、１６の各々の他端をリング状の穴あき部材である留め具１８の穴に挿通した際、留め具１８はこの２本の糸状体１５、１６に摩擦係合により係止される。このため、２本の糸状体１５、１６は、ある一定以上の太さと丈夫さおよび糸状体の表面の粗さが粗いものがより良く、この第一の実施例での釣り用浮き１０では、例えばたこ糸を用いている。【００２６】  また、留め具１８としてのリング状の穴あき部材には、例えば、プラスチック等の合成樹脂素材やアルミ等の金属素材を使用したビーズ等が用いられている。【００２７】  また、２本の糸状体１５、１６の他端には、留め具１８としてのリング状の穴あき部材が容易にはずれないように防止する、留め具抜け防止部１９が設けられている。この留め具抜け防止部１９は、留め具１８に２本の糸状体１５、１６を挿通した後に、例えばナイロン糸等を２本の糸状体１５、１６の他端に巻き付けて固着することで作られている。【００２８】  また、この第一の実施例では、結束部１４の他端部に各々の一端が固着された２本の糸状体１５、１６の間に釣り糸係止部２２が固着されている。この釣り糸係止部２２は、例えばある一定の大きさを持ったゴム等の摩擦係数の大きい素材で作られており、結束部１４の他端部と、２本の糸状体１５、１６と、留め具１８とで構成される環状部２０に釣り糸を挿通した後、留め具１８を結束部１４の他端部の方向へ引き上げると、釣り糸は、釣り糸係止部２２と２本の糸状体１５、１６と留め具１８で拘束され、釣り用浮き１０は、釣り糸に係止される。【００２９】  この第一の実施例の釣り用浮き１０を釣りに使用する際には、釣り用浮き１０を釣り糸の任意の位置に移動させ、留め具１８を結束部１４の他端部の方向へ引き上げて釣り糸を拘束し、釣り用浮き１０を釣り糸に係止する。釣り用浮き１０を釣り糸の別の任意の位置へ移動させたい場合には、留め具１８を留め具抜け防止部１９の方向へ引き下げ、釣り糸の拘束を解除して移動し、再度当該別の位置で、留め具１８を結束部１４の他端部の方向へ引き上げて釣り糸を拘束することで行う。【００３０】  このように、第一の実施例における釣り用浮き１０は、留め具１８の引き上げ、引き下げというワンタッチの作業で、釣り糸の任意の場所に容易に係止することが可能である。【００３１】  また、結束部１４の他端部と、２本の糸状体１５、１６と、留め具１８とで構成される環状部２０は、任意の大きさにすることが可能であり、例えばこの環状部２０の大きさを釣り糸より大きい輪とすれば、釣り糸に釣り針が装着された状態で、第一の実施例の釣り用浮き１０を釣り糸の任意の位置に係止可能である。【００３２】  さらに、この第一の実施例の釣り用浮き１０を釣り糸に係止する環状部２０には、ある一定の大きさを持ったゴム等の摩擦係数の大きい素材による釣り糸係止部２２が設けられているので、釣り糸を環状部２０に拘束した際に釣り糸と環状部２０の滑りによる釣り用浮き��０の移動を効果的に防止することができる。【００３３】  さらにまた、環状部２０に設けた釣り糸係止部２２は、釣り糸と環状部２０の滑りを防止するので、釣り糸の切れの防止にも非常に効果的である。【００３４】  またさらに、環状部２０に設けた釣り糸係止部２２に、ある一定の大きさを持たせたことにより、結束部１４の他端部と留め具１８との間に、釣り糸と環状部２０の滑り防止効果が落ちない程度の、間隙を持たせることができるので、糸状部１５、１６が開きやすく、留め具１８を留め具抜け防止部１９の方向へ引き下げることが容易である。【００３５】  なおまた、この第一の実施例の釣り用浮き１０は、射出成形等のプラスチック成形等の必要がなく、また、この釣り用浮き１０のどの部位も軽量で手近の素材で構成されているので、製造が簡単かつ安価である。【００３６】  この考案における釣り用浮き１０の第二の実施例は、図２によると、釣り用浮き１０は、浮き全体に浮力を与えるとともに、水面や水中での目印にもなる、繊維からなる浮力体１２と、浮力体１２の一部を巻き止めて結束する一端部を有する結束部１４と、両端部が結束部１４の他端部に巻き止められることで固着された１本の糸状体１７と、結束部１４の他端部で巻き止められて固着されている糸状体１７の両端部の略対向する位置に設けられ、糸状体１７を挿通するリング状の穴あき部材である留め具１８と、糸状体１７に挿通された留め具１８が抜け落ちないように防止する留め具抜け防止部１９と、結束部１４の他端部と糸状体１７と留め具１８とで構成される環状部２０に釣り糸を挿通した後、留め具１８で釣り糸を拘束した際に、釣り糸が動かないように係止する釣り糸係止部２４とから概略構成されている。【００３７】  浮力体１２および結束部１４の概略は、この考案の第一の実施例と同様である。なお、結束部１４の一端部には、浮力体１２の繊維の一部がつままれて巻き止められて結束されており、また、結束部１４の他端部には、下記に説明する糸状体１７と釣り糸係止部２４とが固着されている。【００３８】  この第二の実施例では、結束部１４の他端部に糸状体１７の両端が固着されている。また、糸状体１７の結束部１４に固着されている両端部の略対向する位置には、リング状の穴あき部材である留め具１８に挿通されている。このように、結束部１４の他端部と、糸状体１７と、留め具１８とで環状部２０が構成されており、この環状部２０に釣り糸が挿通される。【００３９】  なお、この糸状体１７には、綿糸や絹糸のような天然繊維またはナイロン糸のような化学繊維が用いられている。また、この糸状体１７の両端に略対向する位置にリング状の穴あき部材である留め具１８の穴に挿通した際、留め具１８はこの糸状体１７に摩擦係合により係止される。このため、糸状体１７は、ある一定以上の太さと丈夫さおよび糸状体の表面の粗さが粗いものがより良く、この第二の実施例での釣り用浮き１０では、例えばたこ糸を用いている。【００４０】  また、留め具１８としてのリング状の穴あき部材には、例えば、プラスチック等の合成樹脂素材やアルミ等の金属素材を使用したビーズ等が用いられている。【００４１】  また、糸状体１７の両端部に略対向する位置には、留め具１��としてのリング状の穴あき部材が容易にはずれないように防止する、留め具抜け防止部１９が設けられている。この留め具抜け防止部１９は、留め具１８に糸状体１７を挿通した後に、例えばナイロン糸等を糸状体１７の両端部に略対向する位置に巻き付けて固着することで作られている。【００４２】  また、この第二の実施例では、帯状の釣り糸係止部２４が、結束部１４の一側面側から、結束部１４の他端部に両端が固着された糸状体１７の間を通って、結束部１４の他の側面側に、固着されている。この釣り糸係止部２４は、例えばある一定の幅と厚みを持ったゴム等の摩擦係数の大きい素材で作られており、結束部１４の他端部と、糸状体１７と、留め具１８とで構成される環状部２０に釣り糸を挿通した後、留め具１８を結束部１４の他端部の方向へ引き上げると、釣り糸は、釣り糸係止部２４と糸状体１７と留め具１８で拘束され、釣り用浮き１０は、釣り糸に係止される。【００４３】  この第二の実施例の釣り用浮き１０を釣りに使用する際には、釣り用浮き１０を釣り糸の任意の位置に移動させ、留め具１８を結束部１４の他端部の方向へ引き上げて釣り糸を拘束し、釣り用浮き１０を釣り糸に係止する。釣り用浮き１０を釣り糸の別の任意の位置へ移動させたい場合には、留め具１８を留め具抜け防止部１９の方向へ引き下げ、釣り糸の拘束を解除して移動し、再度当該別の位置で、留め具１８を結束部１４の他端部の方向へ引き上げて釣り糸を拘束することで行う。【００４４】  このように、第二の実施例における釣り用浮き１０は、留め具１８の引き上げ、引き下げというワンタッチの作業で、釣り糸の任意の場所に容易に係止することが可能である。【００４５】  また、結束部１４の他端部と、糸状体１７と、留め具１８とで構成される環状部２０は、任意の大きさにすることが可能であり、例えばこの環状部２０の大きさを釣り糸より大きい輪とすれば、釣り糸に釣り針が装着された状態で、第二の実施例の釣り用浮き１０を釣り糸の任意の位置に係止可能である。【００４６】  さらに、この第二の実施例の釣り用浮き１０を釣り糸に係止する環状部２０には、ある一定の幅と厚みを持ったゴム等の摩擦係数の大きい素材による釣り糸係止部２４が設けられているので、釣り糸を環状部２０に拘束した際に釣り糸と環状部２０の滑りによる釣り用浮き１０の移動を効果的に防止することができる。【００４７】  第二の実施例の釣り糸係止部２４と、第一の実施例の釣り糸係止部２２と比べると、第二の実施例の釣り糸係止部２４は、結束部１４の一側面側から、結束部１４の他端部に両端が固着された糸状体１７の間を通って、結束部１４の他の側面側に、固着される、ある一定の幅を持った帯状ゴムであるので、釣り糸の環状部２０へ拘束する際の状態（位置や形または釣り糸のよれ具合等）に影響されずに、確実に釣り用浮き１０を釣り糸に係止することが可能である。【００４８】  さらにまた、環状部２０に設けた釣り糸係止部２４は、釣り糸と環状部２０の滑りを防止するので、釣り糸の切れの防止にも非常に効果的である。【００４９】  またさらに、環状部２０に設けた釣り糸係止部２４に、ある一定の厚みを持たせたことにより、結束部１４の他端部と留め具１８との間に、釣り���と環状部２０の滑り防止効果が落ちない程度の、間隙を持たせることができるので、糸状部１７が開きやすく、留め具１８を留め具抜け防止部１９の方向へ引き下げることが容易である。【００５０】  なおまた、この第二の実施例の釣り用浮き１０は、射出成形等のプラスチック成形等の必要がなく、また、この釣り用浮き１０のどの部位も軽量で手近の素材で構成されているので、製造が簡単かつ安価である。【００５１】  なお、この考案の第一の実施例と第二に実施例における、釣り糸係止部２２と釣り糸係止部２４と、２本の糸状体１５、１６と糸状体１７との組み合わせは、上記にて説明した組み合わせ以外でも可能であり、例えば、第一の実勢例における２本の糸状体１５、１６に、第二の実施例の釣り糸係止部２４を組み合わせても良いことは、言うまでもない。
【産業上の利用可能性】
【００５２】  この考案における釣り用浮き１０は、魚釣りであれば、渓流釣り、海釣り、バス釣り等、どのような釣りにも利用可能である。なお、この考案における釣り用浮き１０は、フライフィッシングにも最適である。【００５３】  以上のように、この第一の実施例および第二の実施例の釣り用浮き１０により、優れた釣り用浮きを提供することができた。
【図面の簡単な説明】
【００５４】
【図１】  この考案における釣り用浮き１０の第一の実施例。
【図２】  この考案における釣り用浮き１０の第二の実施例。
【符号の説明】
【００５５】１０    釣り用浮き
１２    浮力体
１４    結束部
１５    糸状体
１６    糸状体
１７    糸状体
１８    留め具
１９    留め具抜け防止部
２０    環状部
２２    釣り糸係止部
２４    釣り糸係止部
【図１】
0003115765.tif 000003
【図２】
0003115765.tif 000004